(57)【要約】【課題】歩行中の蹟き及び内股、外股歩行の矯正、予防のための履物を提供する。【解決手段】履物１のクッション材の底部２を踵下３より後端部４迄延ばす。延ばしたクッション材２の上面２ａに等間隔のＶ字型の切り込み６を彫り、底部２の長さを調整する場合、切り込み線６ａで切除する。【選択図】図１
2009018133.tif 000002
【特許請求の範囲】
【請求項１】
踵から着地を目的とする履物で、底部はクッション材を使用し、踵下底部を後方へ延ばしたことを特徴とする履物。
【請求項２】
歩行中の着地の衝撃発生及び吸収を直接、足裏下でなく間接的な後端部で発生及び吸収することを特徴とする履物。
【請求項３】
後端部の地表を蹴る強弱の力によって歩行速度を調整することを特徴とする履物。
【請求項４】
前項３の後端部で地表を蹴る歩行は、踏み出しで即爪先を上げざるをえない歩行と相関関係にあることを特徴とする履物。
【請求項５】
歩行で足を上げるとき、踵下底部を後方に延ばした長さの半分位の距離を従来の足の高さに追加して歩行せざるをえないことを特徴とする履物。
【請求項６】
前項５の足を上げるとき、背筋を真直にするほど足が上がりやすい相乗効果が生まれることを特徴とする履物。
【請求項７】
請求項１で、後方に延ばした底部の上面に等間隔のＶ字型の切り込みを彫り、中心の切り込み線を目印に切除することにより、底部の長さを調整出来ることを特徴とする履物。
【発明の詳細な説明】
【技術分野】
【０００１】  本発明は歩行中の躓き及び内股、外股歩行の矯正、予防のための履物に関するものである。
【背景技術】
【０００２】  現在、健康歩行法として背筋を真直にし、爪先を上げ踵から着地する歩行が奨励されている。しかし足裏の衝撃が踵下に集中するため、足に違和惑が発生し長続きしない人が発生する。【０００３】  現在、高年齢社会になりつつあり、高齢者の歩行中の躓きによる障害発生が多発している。一つの履物で専門的に躓き及び内股、外股、狭い歩巾、猫背歩行を矯正、予防を目的とする履物は無い。【０００４】  従来の履物は歩行中の足裏の衝撃を強弱関係なく直接、足裏で受け、間接的に後方の離れた場所で受ける履物は無い。【０００５】  履物の底部の一部を切除して、長さを調整する履物は無い。【０００６】  履物の踵下の底部を後方に延ばし、後端部から着地を求める履物の特許文献は無い。
【発明の開示】
【発明が解決しようとする課題】
【０００７】  歩行中の損害発生の高順位は躓きと云われる。原因は踏み出しの履物の爪先持上げ不足、地上すれすれの足の持上げと云われる。改善された履物でこの欠点を減らすことが出来る。【０００８】  人は高齢者になるに従い猫背になる傾向がある。猫背を直すため、背筋を真直にして足を上げた歩行が勧められている。当然、履物と地面との距離が広がり衝撃度が高くなる。改善された履物でこの欠点を減らすことが出来る。【０００９】  内股歩行者は履物の爪先を内側に向け、足の持上げも低く歩巾も狭い傾向がある。改善された履物でこの欠点を減らすことが出来る。【００１０】  外股歩行者は履物の爪先を外側に向け、肩をゆするような姿勢になり見苦しいと云われる場合がある。改善された履物でこの欠点を減らすことが出来る。【００１１】  通常の履物は歩行中の衝撃を直接足裏で受けている。この衝撃を間接的に受けるよう改善された履物を提供することである。
【課題を解決するための手段】
【００１２】  履物から歩行の正しい習性を身につけ、高齢化しても継続して、歩行中の人体障害発生を減少させるのが理想である。本発明は、この理想のため踵から着地を目的とした技術的課題を達成すべく、改善した履物を提供することである。【００１３】  本発明は履物の底部にクッション材を使用し、通常の履物の踵下の底部を後方に延ばした長い底部と、延ばした底部の上面に等間隔のＶ字型の切り込みを彫り付けた。これが特徴である。【００１４】  本発明は踵から着地するには、通常より長い底部であるため延ばした長さの半分位の距離を高さに追加して、足を上げざるをえない。これが特徴である。【００１５】  本発明は足を上げざるをえない歩行でも、踵下の底部を後方に延ばしているため、底部の後端部と地面との距離は、通常の履物の距離に類似する。これが特徴である。【００１６】  本発明は、上記を別の観点から特定すれば、本発明と通常の履物を同じ高さに上げると、通常の履物は地面との距離が大きくなり、地面に着地する衝撃度は高くなる。本発明は後方に底部が延びているため、地面との距離は短かい。これが特徴である。【００１７】  本発明は履物の後端部で蹴るように着地すると、人は本能的に爪先を前方正面に向ける。この特徴を利用している。
【発明の効果】
【００１８】  従来の履物より足を上げざるをえない歩行の繰返しは、より効果的に足を自然に上げる習性となり、躓き防止につながる。【００１９】  踵から着地する歩行で、通常の履物以上に足を上げざるをえない歩行でも、本発明は後方に底部を延ばしているため、後端部と地面との距離は通常の履物と同程度と考えられる。従って本発明の履物と通常の履物の地面に対する衝撃度は同程度である。【００２０】  ００１７項の後端部で地面を蹴る歩行を反復することにより、履物の爪先を前方正面に向ける習性を身につける。足を上げながら内股、外股歩行の矯正又は予防を目的とする歩行となる。【００２１】  ００１８項の歩行で足を上げざるをえない歩行は、背筋を垂直にするほど上げやすい。本発明の歩行の反復は背筋を真直にした姿勢に近づける。【００２２】  本発明の踵下より後端部迄延ばした長さが、歩行巾を広げる働きをして狭い歩巾歩行の改善の要因となる。【００２３】  本発明の足裏の衝撃は、底部のクッション材使用、後端部による間接衝撃吸収で弱化させている。【００２４】  本発明で後方に延ばした底部が長すぎる場合は、延ばした底部上面のＶ字型の切り込み線に沿って切除して、自分の好適な長さにする。
【発明を実施するための最良の形態】
【００２５】  以下に、添付の図面に基づいて本発明の好ましい実施例を説明する。【００２６】  第１実施例（図１〜図２）
図１は本発明の履物１の側面図で後端部４で地面Ａに着地した状態を示す。
図２は左足履物１の正面図である。【００２７】  本発明の履物１はクッション材の底部２を使用し、底部２の踵下３より後端部４迄、５０ｍｍ位延ばしている。【００２８】  履物１の目的は後端部４で最初に地面Ａに着地するものである。【００２９】  図１で延ばしたクッション材上面２ａに等間隔のＶ字型の切り込み６を彫り、クッション材上面２ａの長さを調整する場合、Ｖ字型の切り込み６の切り込み線６ａで切除する目印とする。【００３０】  本発明は図１で地面Ａに着地する場合、通常の履物で踵下３で着地するところを、更に足を上げた状態で後端部４で着地することを示している。【００３１】  上記で通常の履物より足を上げざるをえない歩行は、背筋を真直にして足を上げようとする働きが生まれる。【００３２】  図２で歩行中の内股歩行者は、履物１の爪先５を内側方向Ｃに、外股歩行者は爪先５を外側方向Ｄに向ける。履物１の後端部４で地面Ａを蹴るように歩行すると、人は本能的に足の衝撃を最小限にするため、履物１の爪先５を前方正面Ｂに向ける歩行となる。【００３３】  図１は履物１の歩行の着地衝撃発生及び吸収を図１が示す従来の履物の足裏直下３でなく間接的に後端部４で発生、吸収している。
【産業上の利用可能性】
【００３４】  本発明の形状は見ただけで通常の履物と違いがはっきりしている。
本発明の目的は背筋を真直にし、従来の履物より足を上げ踵より着地する歩行により健康に寄与することである。国民に認知されれば、各人が最低１足、健康歩行用として所有するようになる。
【図面の簡単な説明】
【００３５】
【図１】本発明の側面図で地面に着地した状態を示す。
【図２】左足用の正面図である。
【符号の説明】
【００３６】１    履物
２    クッション材の底部
２ａ  後方に延ばした底部の上面
３    従来の履物の後端部
４    延ばした履物の後端部
５    爪先
６    Ｖ字型切り込み
６ａ  切り込み線
Ａ    地面
Ｂ    前方正面
Ｃ    内側方向
Ｄ    外側方向
【図１】
2009018133.tif 000003
【図２】
2009018133.tif 000004